(57)【要約】 【課題】外周が滑らかで塵埃がたまりにくく、取り扱いやすくて見栄えのよい交通信号用灯器を提供する。【解決手段】光源２１と駆動回路部２２とを備えた光源ユニット２０を内装し、交通設備の要所に設置される交通信号用灯器１０であって、前部カバー体４０と、後部カバー体５０とを前後から合わせて光源ユニット２０を収納し、前部カバー体４０は、光源２１を覗かせ、かつ光源ユニット２０の前部外周に密接するリング孔４１と、後部カバー体５０に密接する縁部４２とを備え、後部カバー体５０は、光源ユニット２０を後方から覆う箱状の収納部５１の前部に前縁部５２を備えて成り、前部カバー体４０の縁部４２に後方に突出する連結突起部４５を設け、後部カバー体５０には、連結突起部４５が嵌合する受け凹部５５を設け、連結突起部４５を受け凹部５５に嵌合させることにより、外部への突出部を形成することなく前部カバー体４０と後部カバー体５０とを密接に結合した。【選択図】図１
2005284527.tif 000002
【特許請求の範囲】
【請求項１】
光源と駆動回路部とを備えた光源ユニットを内装し、交通設備の要所に設置される交通信号用灯器であって、
前記光源を前面から覗かせる前部カバー体と、前記光源ユニットを後方から覆う後部カバー体とを前後から合わせて前記光源ユニットを収納し、
前記前部カバー体は、前記光源を覗かせ、かつ前記光源ユニットの前部外周に密接するリング孔と、前記後部カバー体に密接する縁部とを備え、
前記後部カバー体は、前記光源ユニットを後方から覆う箱状の収納部の前部に前縁部を備えて成り、
前記前部カバー体の縁部に後方に突出する連結突起部を設け、前記後部カバー体には、該連結突起部が嵌合する受け凹部を設け、前記連結突起部を該受け凹部に嵌合させることにより、外部への突出部を形成することなく前記前部カバー体と前記後部カバー体とを密接結合したことを特徴とする交通信号用灯器。
【請求項２】
光源と駆動回路部とを備えた光源ユニットを内装し、交通設備の要所に設置される交通信号用灯器であって、
前記光源を前面から覗かせる前部カバー体と、前記光源ユニットを後方から覆う後部カバー体とを前後から合わせて前記光源ユニットを収納し、
前記前部カバー体は、前記光源を覗かせ、かつ前記光源ユニットの前部外周に密接するリング孔と、前記後部カバー体に密接する縁部とを備え、
前記後部カバー体は、前記光源ユニットを後方から覆う箱状の収納部の前部に前縁部を備えて成り、
前記前部カバー体と前記後部カバー体とがヒンジ状に連結可能なよう、前記前部カバー体の縁部に後方に突出する連結突起部を設けるとともに、前記後部カバー体には、該連結突起部が嵌合する受け凹部を設け、
前記前部カバー体の縁部の連結突起部には、蝶番部シャフトが嵌合する軸孔を設け、前記後部カバー体の前縁部には、前記受け凹部を横断して前記前部カバー体の蝶番部シャフトが納まって保持するピン受け溝を形成し、
前記前部カバー体の連結突起部を前記後部カバー体の受け凹部に嵌合させ、蝶番部シャフトによりヒンジ状に連結することにより、前記前部カバー体を煽り戸状に開閉可能で、閉じたとき、前記外部への突出部を形成することなく前記前部カバー体と前記後部カバー体とを密接結合したことを特徴とする交通信号用灯器。
【請求項３】
光源と駆動回路部とを備えた光源ユニットを内装し、交通設備の要所に設置される交通信号用灯器であって、
前記光源を前面から覗かせる前部カバー体と、前記光源ユニットを後方から覆う後部カバー体とを前後から合わせて前記光源ユニットを収納し、
前記前部カバー体は、前記光源を覗かせ、かつ前記光源ユニットの前部外周に密接するリング孔と、前記後部カバー体に密接する縁部とを備え、
前記後部カバー体は、前記光源ユニットを後方から覆う箱状の収納部の前部に前縁部を備えて成り、
前記前部カバー体と前記後部カバー体とがヒンジ状に連結可能なよう、前記前部カバー体の縁部に後方に突出する連結突起部を設けるとともに、前記後部カバー体には、該連結突起部が嵌合する受け凹部を設け、
前記前部カバー体の縁部の連結突起部には、蝶番部シャフトが嵌合する軸孔を設け、前記後部カバー体の前縁部には、前記受け凹部を横断して前記前部カバー体の蝶番部シャフトが納まって保持するピン受け溝を形成し、
前記前部カバー体と前記後部カバー体とを結合するとき、前記蝶番部シャフトは、前記前部カバー体を煽り戸状に開いた状態で押え金具を前記後部カバー体の前縁部にねじ止めし、
前記前部カバー体の連結突起部を前記後部カバー体の受け凹部に嵌合させ、蝶番部シャフトによりヒンジ状に連結することにより、前記前部カバー体を煽り戸状に開閉可能で、閉じたとき、前記外部への突出部を形成することなく前記前部カバー体と前記後部カバー体とを密接結合したことを特徴とする交通信号用灯器。
【発明の詳細な説明】
【技術分野】
【０００１】
本発明は、光源と駆動回路部とを備えた光源ユニットを内装し、交通設備の要所に設置される交通信号用灯器に関する。
【背景技術】
【０００２】
従来の技術としては、例えば特許文献１に示すようなものがある。  
すなわち、特許文献１の特開２００２−２１６２９５号公報には、反射鏡とランプが収容された箱状の灯器本体と、前面蓋とから成っており、灯器本体と前面蓋の上縁および下縁の対称位置に夫々一対の軸受部を突出形成して、灯器本体と前面蓋とを結合する技術が開示されている。
【０００３】
【特許文献１】特開２００２−２１６２９５号公報
【発明の開示】
【発明が解決しようとする課題】
【０００４】
しかしながら、このような従来の技術では、軸受部が灯器の外に突出しているので、塵埃がそこに付着して汚れやすく、風切音がしたり、突起部位が取り扱い上邪魔であったり、見栄えが悪いという問題点があった。
【０００５】
本発明は、このような従来の技術が有する問題点に着目してなされたもので、外周が滑らかで塵埃がたまりにくく、取り扱いやすくて見栄えのよい交通信号用灯器を提供することを目的としている。
【課題を解決するための手段】
【０００６】
かかる目的を達成するための本発明の要旨とするところは、次の各項の発明に存する。
［１］  光源（２１）と駆動回路部（２２）とを備えた光源ユニット（２０）を内装し、交通設備の要所に設置される交通信号用灯器（１０）であって、
前記光源（２１）を前面から覗かせる前部カバー体（４０）と、前記光源ユニット（２０）を後方から覆う後部カバー体（５０）とを前後から合わせて前記光源ユニット（２０）を収納し、
前記前部カバー体（４０）は、前記光源（２１）を覗かせ、かつ前記光源ユニット（２０）の前部外周に密接するリング孔（４１）と、前記後部カバー体（５０）に密接する縁部（４２）とを備え、
前記後部カバー体（５０）は、前記光源ユニット（２０）を後方から覆う箱状の収納部５１の前部に前縁部（５２）を備えて成り、
前記前部カバー体（４０）の縁部（４２）に後方に突出する連結突起部（４５）を設け、前記後部カバー体（５０）には、該連結突起部（４５）が嵌合する受け凹部（５５）を設け、前記連結突起部（４５）を該受け凹部（５５）に嵌合させることにより、外部への突出部を形成することなく前記前部カバー体（４０）と前記後部カバー体（５０）とを密接結合したことを特徴とする交通信号用灯器（１０）。
【０００７】
［２］  光源（２１）と駆動回路部（２２）とを備えた光源ユニット（２０）を内装し、交通設備の要所に設置される交通信号用灯器（１０）であって、
前記光源（２１）を前面から覗かせる前部カバー体（４０）と、前記光源ユニット（２０）を後方から覆う後部カバー体（５０）とを前後から合わせて前記光源ユニット（２０）を収納し、
前記前部カバー体（４０）は、前記光源（２１）を覗かせ、かつ前記光源ユニット（２０）の前部外周に密接するリング孔（４１）と、前記後部カバー体（５０）に密接する縁部（４２）とを備え、
前記後部カバー体（５０）は、前記光源ユニット（２０）を後方から覆う箱状の収納部５１の前部に前縁部（５２）を備えて成り、
前記前部カバー体（４０）と前記後部カバー体（５０）とがヒンジ状に連結可能なよう、前記前部カバー体（４０）の縁部（４２）に後方に突出する連結突起部（４５）を設けるとともに、前記後部カバー体（５０）には、該連結突起部（４５）が嵌合する受け凹部（５５）を設け、
前記前部カバー体（４０）の縁部（４２）の連結突起部（４５）には、蝶番部シャフト（４６）が嵌合する軸孔（４５ａ）を設け、前記後部カバー体（５０）の前縁部（５２）には、前記受け凹部（５５）を横断して前記前部カバー体（４０）の蝶番部シャフト（４６）が納まって保持するピン受け溝（５６）を形成し、
前記前部カバー体（４０）の連結突起部（４５）を前記後部カバー体（５０）の受け凹部（５５）に嵌合させ、蝶番部シャフト（４６）によりヒンジ状に連結することにより、前記前部カバー体（４０）を煽り戸状に開閉可能で、閉じたとき、前記外部への突出部を形成することなく前記前部カバー体（４０）と前記後部カバー体（５０）とを密接結合したことを特徴とする交通信号用灯器（１０）。
【０００８】
［３］  光源（２１）と駆動回路部（２２）とを備えた光源ユニット（２０）を内装し、交通設備の要所に設置される交通信号用灯器（１０）であって、
前記光源（２１）を前面から覗かせる前部カバー体（４０）と、前記光源ユニット（２０）を後方から覆う後部カバー体（５０）とを前後から合わせて前記光源ユニット（２０）を収納し、
前記前部カバー体（４０）は、前記光源（２１）を覗かせ、かつ前記光源ユニット（２０）の前部外周に密接するリング孔（４１）と、前記後部カバー体（５０）に密接する縁部（４２）とを備え、
前記後部カバー体（５０）は、前記光源ユニット（２０）を後方から覆う箱状の収納部（５１）の前部に前縁部（５２）を備えて成り、
前記前部カバー体（４０）と前記後部カバー体（５０）とがヒンジ状に連結可能なよう、前記前部カバー体（４０）の縁部（４２）に後方に突出する連結突起部（４５）を設けるとともに、前記後部カバー体（５０）には、該連結突起部（４５）が嵌合する受け凹部（５５）を設け、
前記前部カバー体（４０）の縁部（４２）の連結突起部（４５）には、蝶番部シャフト（４６）が嵌合する軸孔（４５ａ）を設け、前記後部カバー体（５０）の前縁部（５２）には、前記受け凹部（５５）を横断して前記前部カバー体（４０）の蝶番部シャフト（４６）が納まって保持するピン受け溝（５６）を形成し、
前記前部カバー体（４０）と前記後部カバー体（５０）とを結合するとき、前記蝶番部シャフト（４６）は、前記前部カバー体（４０）を煽り戸状に開いた状態で押え金具（５７）を前記後部カバー体（５０）の前縁部（５２）にねじ止めし、
前記前部カバー体（４０）の連結突起部（４５）を前記後部カバー体（５０）の受け凹部（５５）に嵌合させ、蝶番部シャフト（４６）によりヒンジ状に連結することにより、前記前部カバー体（４０）を煽り戸状に開閉可能で、閉じたとき、前記外部への突出部を形成することなく前記前部カバー体（４０）と前記後部カバー体（５０）とを密接結合したことを特徴とする交通信号用灯器（１０）。
【０００９】
本発明に係る交通信号用灯器（１０）は、交通設備の要所に設置され、駆動回路部（２２）から光源（２１）に電力を供給し、点滅等をさせて交通案内をする。
【００１０】
前部カバー体（４０）と後部カバー体（５０）とは、前部カバー体（４０）の縁部（４２）に後方に突出して設けられた連結突起部（４５）を、後部カバー体（５０）の受け凹部（５５）に嵌合させて結合する。光源ユニット（２０）は、前部カバー体（４０）と、後方から覆う後部カバー体（５０）とを前後から合わせて密閉収納される。前部カバー体（４０）の縁部（４２）が後部カバー体（５０）に密接し、光源ユニット（２０）の前部外周には前部カバー体（４０）のリング孔（４１）が密接する。これにより、前部カバー体（４０）と後部カバー体（５０）とは、外部への突出部を形成することなく密接に結合する。
【００１１】
光源（２１）は、外部から視認できるよう、前部が前部カバー体（４０）のリング孔（４１）から覗き、駆動回路部（２２）から光源（２１）に電力が供給され、点滅等をして交通案内をする。
【発明の効果】
【００１２】
本発明にかかる交通信号用灯器によれば、前部カバー体と後部カバー体とが、外周に突起する部位が生ずることなく光源ユニットが収納されるので、外周が滑らかで塵埃がたまりにくく、取り扱いやすくて見栄えのよい交通信号用灯器とすることができる。
【発明を実施するための最良の形態】
【００１３】
以下、図面に基づき本発明の好適な一実施の形態を説明する。  
各図は本発明の一実施の形態を示している。  
交通信号用灯器１０は、交通設備の要所に設置されるものであり、形態は図９および図１０に示すとおりであり、通常は青、黄、赤の３組で構成され、それぞれの組は同様の構成をしており、ＬＥＤ（発光ダイオード）である光源２１を前面から覗かせる前部カバー体４０と、光源ユニット２０を後方から覆う後部カバー体５０とを前後から合わせて光源ユニット２０が収納され、前部カバー体４０には、フード１５が装着されている。
【００１４】
図１〜図５でわかるように、光源ユニット２０は、光源２１と駆動回路部２２と前部のレンズ体２３とが一体的に構成されて成る。前部カバー体４０は、光源ユニット２０のレンズ体２３を前方に開放するリング孔４１と、後部カバー体５０に密接する縁部４２とを備え、光源ユニット２０のレンズ体２３をこのリング孔４１に通してから受け面４１ａに外周縁部２５を押し当て、後からリング金具３０で押さえ、ねじ３１で固定されている。後部カバー体５０は、光源ユニット２０を後方から覆う箱状の収納部５１の前部に前縁部５２を備えて成る。
【００１５】
前部カバー体４０と後部カバー体５０とがヒンジ状に連結可能なよう、前部カバー体４０の縁部４２に後方に突出する連結突起部４５が設けられ、後部カバー体５０には、連結突起部４５が嵌合する受け凹部５５が設けられている。
【００１６】
前部カバー体４０の縁部４２の連結突起部４５には、蝶番部シャフト４６が嵌合する軸孔４５ａが穿設され、後部カバー体５０の前縁部５２には、受け凹部５５を横断して前部カバー体４０の蝶番部シャフト４６が納まって保持するピン受け溝５６が形成されている。
【００１７】
前部カバー体４０と後部カバー体５０とを結合するとき、蝶番部シャフト４６は、前部カバー体４０を煽り戸状に開いた状態で押え金具５７を後部カバー体５０の前縁部５２にねじ５７ａ止めする。押え金具５７の構成は図６〜図８に示されており、蝶番部シャフト４６を押えるシャフト押え部５８の両側にネジ止め部５９が延設され、シャフト押え部５８には、前部カバー体４０の連結突起部４５の挿通溝５８ａが開けられている。
【００１８】
前部カバー体４０の連結突起部４５を後部カバー体５０の受け凹部５５に嵌合させ、蝶番部シャフト４６によりヒンジ状に連結することにより、前部カバー体４０は煽り戸状に開閉可能で、閉じたとき、外部への突出部を形成することなく前部カバー体４０と後部カバー体５０とが密接に結合する。
【００１９】
前部カバー体４０と後部カバー体５０とのヒンジ結合させた側とは反対側の端部は、押え金具５７を利用して蝶ネジ部シャフト４７をねじ４７ａで固結してある。
【００２０】
次に作用を説明する。  
交通信号用灯器１０は、交通設備の要所に設置され、駆動回路部２２から光源２１に電力を供給し、点滅等をさせて交通案内をする。
【００２１】
前部カバー体４０と後部カバー体５０とは、前部カバー体４０の縁部４２に後方に突出して設けられた連結突起部４５を、後部カバー体５０の受け凹部５５に嵌合させて結合する。光源ユニット２０は、前部カバー体４０と、後方から覆う後部カバー体５０とを前後から合わせて密閉収納される。前部カバー体４０の縁部４２が後部カバー体５０に密接し、光源ユニット２０の前部外周には前部カバー体４０のリング孔４１が密接する。これにより、前部カバー体４０と後部カバー体５０とは、外部への突出部を形成することなく密接に結合する。
【００２２】
光源２１は、外部から視認できるよう、前部が前部カバー体４０のリング孔４１から覗き、駆動回路部２２から光源２１に電力が供給され、点滅等をして交通案内をする。
【図面の簡単な説明】
【００２３】
【図１】本発明の一実施の形態に係る交通信号用灯器の要部断面図である。
【図２】本発明の一実施の形態に係る交通信号用灯器の透視して示した正面図である。
【図３】本発明の一実施の形態に係る交通信号用灯器の分解説明断面図である。
【図４】本発明の一実施の形態に係る交通信号用灯器の前部カバー体の正面図である。
【図５】本発明の一実施の形態に係る交通信号用灯器の前部カバー体の縦断面図である。
【図６】本発明の一実施の形態に係る交通信号用灯器のヒンジ部位の押え金具の正面図である。
【図７】本発明の一実施の形態に係る交通信号用灯器のヒンジ部位の押え金具の平面図である。
【図８】本発明の一実施の形態に係る交通信号用灯器のヒンジ部位の押え金具の側面図である。
【図９】本発明の一実施の形態に係る交通信号用灯器の正面図である。
【図１０】本発明の一実施の形態に係る交通信号用灯器の側面図である。
【符号の説明】
【００２４】
１０…交通信号用灯器
２０…光源ユニット
２１…光源
２２…駆動回路部
２３…レンズ体
３０…リング金具
３１…ねじ
４０…前部カバー体
４１…リング孔
４２…縁部
４５…連結突起部
４５ａ…軸孔
４６…蝶番部シャフト
４７…蝶ネジ部シャフト
４７ａ…ねじ
５０…後部カバー体
５１…収納部
５２…前縁部
５５…受け凹部
５６…ピン受け溝
５７…押え金具
５８…シャフト押え部
５８ａ…挿通溝
５９…ネジ止め部
【図１】
2005284527.tif 000003
【図２】
2005284527.tif 000004
【図３】
2005284527.tif 000005
【図４】
2005284527.tif 000006
【図５】
2005284527.tif 000007
【図６】
2005284527.tif 000008
【図７】
2005284527.tif 000009
【図８】
2005284527.tif 000010
【図９】
2005284527.tif 000011
【図１０】
2005284527.tif 000012